(57)【要約】【課題】  互いに異なる２つのＣＡＤシステム間で、例えば設備機器の形態情報や仕様情報を正確に受け渡す。【解決手段】  本発明は、第１ＣＡＤシステムにおいて、複数のオブジェクトに対して唯一で個別のインデックスをそれぞれ付与することと、データ管理ソフトにおいて、各インデックスに関連付けて各オブジェクトの特性データを管理することと、インデックスを含む第１ＣＡＤシステム内の情報を、中間フォーマットを介して、第２ＣＡＤシステムへ受け渡すことと、第２ＣＡＤシステムにおいて、各インデックスに関連付けられた各オブジェクトの特性データをデータ管理ソフトから取得することとを含む。【選択図】  図４
2012230578.tif 000002
【特許請求の範囲】
【請求項１】
互いに異なる２つのＣＡＤシステム間でオブジェクトの特性データを受け渡すデータ受渡し方法であって、
第１ＣＡＤシステムにおいて、複数のオブジェクトに対して唯一で個別のインデックスをそれぞれ付与することと、
前記第１ＣＡＤシステムとは別のデータ管理ソフトにおいて、各インデックスに関連付けて各オブジェクトの特性データを管理することと、
前記インデックスを含む前記第１ＣＡＤシステム内の情報を、中間フォーマットを介して、第２ＣＡＤシステムへ受け渡すことと、
前記第２ＣＡＤシステムにおいて、各インデックスに関連付けられた各オブジェクトの特性データを前記データ管理ソフトから取得することとを含むことを特徴とするデータ受渡し方法。
【請求項２】
前記インデックスが付与されるオブジェクトは、設備用オブジェクトであることを特徴とする請求項１に記載のデータ受渡し方法。
【請求項３】
前記特性データは、前記設備用オブジェクトの仕様情報を含むことを特徴とする請求項２に記載のデータ受渡し方法。
【請求項４】
前記２つのＣＡＤシステムは、ＢＩＭを実現するＣＡＤシステムであることを特徴とする請求項１乃至３のいずれか１項に記載のデータ受渡し方法。
【請求項５】
前記データ管理ソフトは、汎用ソフトであることを特徴とする請求項１乃至４のいずれか１項に記載のデータ受渡し方法。
【発明の詳細な説明】
【技術分野】
【０００１】
本発明は、ＣＡＤシステム間のデータ受渡し方法に関する。さらに詳細には、本発明は、互いに異なる２つのＣＡＤシステム間でオブジェクトの特性データを受け渡す方法に関するものである。
【背景技術】
【０００２】
ＢＩＭ（Building Information Modeling：ビルディング インフォメーション モデリング）を実現するＣＡＤ（Computer Aided Design：コンピュータ支援設計）システムが知られている。この種のＣＡＤシステムでは、コンピュータ上に建物の三次元デジタルモデルを作成し、設計から施工、維持管理に至るまで建築ライフサイクル全体でモデルに蓄積された情報を活用することにより、建築ビジネスの業務を効率化する。
【０００３】
設備設計用のＣＡＤでは、配管や設備機器などの設備用オブジェクトに関する情報を入力することができ、平面だけでなく高さ方向を含む三次元モデルの設計を行うことができる。配管については、経路情報のみを示す単線表示、経路情報に形状情報を付加した複線表示が可能である。配管の口径や用途を含む仕様情報、例えば「給水用塩ビライニング鋼管の２５ｍｍ」、「水道用ステンレス管の５０ｍｍ」といった仕様情報も、ＣＡＤに内蔵される。
【０００４】
設備機器については、寸法のような形状情報に加えて、「空調機」や「照明器具」といったおおまかな分類情報が、ＣＡＤに内蔵される。また、設備機器の詳細な要求仕様、例えば空調機の場合には「冷房能力」、「冷水往還温度」、「加湿能力」などの仕様情報は、ＣＡＤとは別に作成された機器表などを介して、見積・生産へと情報伝達される。
【発明の概要】
【発明が解決しようとする課題】
【０００５】
入力した第１ＣＡＤシステムとは異なる別の第２ＣＡＤシステムにおいて三次元デジタルモデルを開く場合、第１ＣＡＤシステム内の情報を中間フォーマット（例えば、ＤＷＧ，BE-Bridge，ＩＦＣなど）に変換し、中間フォーマットに変換された情報を第２ＣＡＤシステムで読み込む。しかしながら、従来技術では、互いに異なる２つのＣＡＤシステム間で中間フォーマットを介して設備機器の情報を伝達しようとすると、設備機器の形状情報については正確な受け渡しが可能であるが、形状以外の情報については受け渡しが不可能であることが多い。
【０００６】
これは、情報を抽出する側である第１ＣＡＤシステムと情報を読み取る側である第２ＣＡＤシステムとの間で、どの場所に何の情報を格納するかといった約束事を事前に規定しておかなければならないからである。そのため、現状では、ＢＩＭの活用に際して、各社が互いに同じＣＡＤシステムを利用するか、あるいは互いに異なる２つのＣＡＤシステム間で受け渡しのできない情報を紙媒体等によって伝達せざるを得ない。
【０００７】
本発明は、前述の課題に鑑みてなされたものであり、互いに異なる２つのＣＡＤシステム間で、例えば設備機器の形態情報や仕様情報を正確に受け渡すことを目的とする。
【課題を解決するための手段】
【０００８】
前記課題を解決するために、本発明では、互いに異なる２つのＣＡＤシステム間でオブジェクトの特性データを受け渡すデータ受渡し方法であって、
第１ＣＡＤシステムにおいて、複数のオブジェクトに対して唯一で個別のインデックスをそれぞれ付与することと、
前記第１ＣＡＤシステムとは別のデータ管理ソフトにおいて、各インデックスに関連付けて各オブジェクトの特性データを管理することと、
前記インデックスを含む前記第１ＣＡＤシステム内の情報を、中間フォーマットを介して、第２ＣＡＤシステムへ受け渡すことと、
前記第２ＣＡＤシステムにおいて、各インデックスに関連付けられた各オブジェクトの特性データを前記データ管理ソフトから取得することとを含むことを特徴とするデータ受渡し方法を提供する。
【発明の効果】
【０００９】
本発明では、オブジェクトの特性データの伝達がＣＡＤシステムとは別のデータ管理ソフトを用いて行われるので、ＣＡＤシステムに依存することなくオブジェクトの特性データの伝達を図ることができる。その結果、本発明では、互いに異なる２つのＣＡＤシステム間で、例えば設備機器の形態情報や仕様情報を正確に受け渡すことができる。
【図面の簡単な説明】
【００１０】
【図１】本発明の実施形態にかかるＣＡＤシステム間のデータ受渡し方法を説明する第１の図であって、設備用オブジェクトの情報を示している。
【図２】本実施形態にかかるデータ受渡し方法を説明する第２の図であって、空調機の仕様情報の一部である機器表が含む情報を示している。
【図３】本実施形態にかかるデータ受渡し方法を説明する第３の図であって、本実施形態におけるデータ受渡し方法の基本的な考え方を示している。
【図４】本実施形態にかかるデータ受渡し方法のフローチャートを示す図である。
【発明を実施するための形態】
【００１１】
本発明の実施形態を、添付図面に基づいて説明する。図１は、本発明の実施形態にかかるＣＡＤシステム間のデータ受渡し方法を説明する第１の図であって、設備用オブジェクトの情報を示している。設備用オブジェクト（主に設備機器）の情報は、図１に示すように、仕様情報と形態情報に大別される。
【００１２】
設備用オブジェクトの仕様情報は、機器表、器具表などの情報を含んでいる。一方、形態情報は、系統図、平面図、詳細図、機器姿図などの情報を含んでいる。具体的に、空調機の場合には、その仕様情報の一部である機器表は、図２に示すように、記号、名称、型式、必要冷却能力、吸込温度、必要加熱能力、給気風量、外気量、機外静圧、電源容量、冷媒配管、加湿機、エアフィルタ、防振、参考型番などに関する情報を含んでいる。
【００１３】
図３は、本実施形態にかかるＣＡＤシステム間のデータ受渡し方法を説明する第３の図であって、本実施形態におけるデータ受渡し方法の基本的な考え方を示している。本実施形態では、図３に示すように、例えばＢＩＭを実現する第１ＣＡＤシステム１１内のオブジェクトの諸情報が、ある中間フォーマットを介して、第１ＣＡＤシステム１１とは異なる第２ＣＡＤシステム１２へ受け渡される。以下、第１ＣＡＤシステム１１内のオブジェクトのうち、設備用オブジェクト（主に設備機器）の特性データ（仕様情報、形態情報など）の受渡し（伝達）に着目して説明する。
【００１４】
本実施形態では、図４のフローチャートに示すように、第１ＣＡＤシステム１１において、複数のオブジェクトに対して唯一で個別のインデックス（図３では図面の明瞭化のために１つだけを例示）１３をそれぞれ付与する（Ｓ１１）。具体的に、ステップＳ１１において付与されるインデックス１３はオブジェクト毎に個別に設定されるものであり、同じ仕様の機器であっても異なるインデックス１３が割り当てられる。
【００１５】
したがって、インデックス１３の情報に基づいて、どの建物のどの機器が該当しているかを特定することができる。インデックス１３の採番方法、桁数などは、例えばインターネットのＩＰアドレスのように予め定義される。第１ＣＡＤシステム１１内の１つのオブジェクトに与えられるインデックス１３は、１個の単純なデータであり、その入力作業は容易である。
【００１６】
また、本実施形態では、第１ＣＡＤシステム１１とは別のデータ管理ソフト１４において、各インデックス１３に関連付けて各オブジェクトの特性データを管理する（Ｓ１２）。具体的に、ステップＳ１２では、例えばエクセルのような汎用的な表計算ソフトを用いて、各インデックス１３と各設備用オブジェクトの仕様情報、形態情報などとを関連付けたデータベースを作成する。
【００１７】
こうして、第１ＣＡＤシステム１１内の各設備用オブジェクトとデータ管理ソフト１４内の特性データとが、インデックス１３により関連付けられる。その結果、第１ＣＡＤシステム１１と第２ＣＡＤシステム１２とで、相互にデータ管理ソフト１４内の特性データを参照することが可能になる。
【００１８】
次いで、インデックス１３を含む第１ＣＡＤシステム１１内の情報を、中間フォーマットを介して、第２ＣＡＤシステム１２へ受け渡す（Ｓ１３）。具体的に、ステップＳ１３では、第１ＣＡＤシステム１１内のインデックス１３を含む所要情報を所定の中間フォーマットに変換し、中間フォーマットに変換された所要情報を第２ＣＡＤシステム１２で読み込む。このとき、１つのオブジェクトについてインデックス１３の受け渡し領域を１個だけ規定すればよいので、互いに異なる２つのＣＡＤシステム１１と１２との間の受け渡し領域に関する取り決め事項は非常に簡素である。
【００１９】
最後に、第２ＣＡＤシステム１２において、各インデックス１３に関連付けられた各オブジェクトの特性データをデータ管理ソフト１４から取得する（Ｓ１４）。具体的に、ステップＳ１４では、第２ＣＡＤシステム１２が、データ管理ソフト１４内の情報を参照し、第１ＣＡＤシステム１１から受け渡されたインデックス１３に関連付けられたオブジェクトの特性データを読み込む。
【００２０】
その結果、互いに異なる２つのＣＡＤシステム１１と１２との間で、例えば設備用オブジェクトの仕様情報、形態情報などの特性データが正確に受け渡される。換言すれば、第１ＣＡＤシステムに入力された三次元デジタルモデルを第２ＣＡＤシステムにおいて開いても、設備用オブジェクトの仕様情報、形態情報などの特性データが、第１ＣＡＤシステム１１から第２ＣＡＤシステムへ正確に受け渡される。
【００２１】
以上のように、本実施形態では、設備用オブジェクトの仕様情報を含む特性データの伝達がＣＡＤシステム１１，１２とは別のデータ管理ソフト１４を用いて行われるので、ＣＡＤシステム１１，１２に依存することなく、設備用オブジェクトの特性データの伝達を図ることができる。また、ＣＡＤシステム１１，１２とデータ管理ソフト１４とはインデックス１３に基づいて関連付けられているので、中間フォーマットを介した受け渡しに際して情報の欠落を防止することができる。さらに、生産段階での詳細検討や設計変更などをデータ管理ソフト１４に更新入力することにより、データ管理ソフト１４内の情報が完成データとなり、竣工後の維持や管理にそのまま活用することができる。
【００２２】
なお、上述の説明では、例えばＢＩＭを実現する２つのＣＡＤシステム１１，１２の間で、設備用オブジェクト（主に設備機器）の仕様情報、形態情報などを受け渡す方法に対して本発明を適用している。しかしながら、これに限定されることなく、互いに異なる２つのＣＡＤシステム間で設備用以外のオブジェクトの特性データを受け渡す方法に対しても同様に本発明を適用することができる。
【符号の説明】
【００２３】
１１  第１ＣＡＤシステム
１２  第２ＣＡＤシステム
１３  インデックス
１４  データ管理ソフト
【図１】
2012230578.tif 000003
【図２】
2012230578.tif 000004
【図３】
2012230578.tif 000005
【図４】
2012230578.tif 000006